(57)【要約】【課題】ノズルから噴射される水滴がサウナ対象室に噴射されても使用者の体感が良好で、中高温高湿のサウナ環境を継続することを目的とする。【解決手段】空気を加熱する加熱手段１２と、前記加熱手段１２により加熱された空気を加湿する加湿手段１３と、サウナ対象室１内に直接加湿を行う直接加湿手段１５と、前記各手段を制御する制御手段を備え、前記加湿手段で加湿する空気は前記サウナ対象室１の空気を循環する循環送風手段１１を介し前記加熱手段１２を通過後、前記加湿手段１３、大粒水滴と微細水滴を分離する気液分離手段１４を経て前記サウナ対象室１に吹き出し前記サウナ対象室１を加湿し、前記直接加湿手段１５は前記サウナ対象室１に直接加湿することにより、加湿能力の高い直接加湿手段１５によりサウナ立ち上がり時間の短縮が行え、加湿空気の粒径が微細な加湿手段１３、気液分離手段１４により使用者の体感が良好なサウナ装置を提供できる。【選択図】図１
2008253476.tif 000002
【特許請求の範囲】
【請求項１】
空気を加熱する加熱手段と、前記加熱手段により加熱された空気を加湿する加湿手段と、サウナ対象室内に直接加湿を行う直接加湿手段と、大粒水滴と微細水滴を分離する気液分離手段と、サウナ対象室の空気を循環する循環送風手段と、前記加熱手段と前記加湿手段と前記直接加湿手段と前記循環送風手段を制御する制御手段を備え、前記循環送風手段は、前記加熱手段を通過させて加熱した空気を前記加湿手段により加湿して、前記気液分離手段を通過させて微細空気を前記サウナ対象室へ吹出して加湿を行い、前記直接加湿手段は、直接加湿を行い、前記サウナ対象室を加湿することを特徴とするサウナ装置。
【請求項２】
加湿手段に、水を噴射するノズルと、前記ノズルより噴射した水が噴射水衝突面としての壁面に衝突することにより空気を加湿する水破砕手段を設けたことを特徴とした請求項１記載のサウナ装置。
【請求項３】
直接加湿手段に、温水を噴射する直接ノズルを設け、前記直接ノズルより噴射した温水がサウナ対象室に直接噴射することによりサウナ対象室の空気を加湿することを特徴とした請求項１記載のサウナ装置。
【請求項４】
加湿手段および直接加湿手段で噴射する水または温水は、温水器から供給することを特徴とした請求項１〜３のいずれかに記載のサウナ装置。
【請求項５】
サウナ装置用の専用温水回路を有する温水器と接続され温水を温水器から供給することを特徴とした請求項４記載のサウナ装置。
【請求項６】
温水器と通信することにより、温度調整された温水を温水器から供給することを特徴とした請求項４または５記載のサウナ装置。
【請求項７】
水量により水と温水を切り換える温水器で加湿手段のノズル噴射水量と直接加湿手段の直接ノズル噴射水量に噴射水量差を設けることを特徴とした請求項５記載のサウナ装置。
【請求項８】
運転開始時に、直接加湿手段の直接ノズル噴射でサウナ対象室の加湿を行い、加熱手段により加熱された空気を前記サウナ対象室に吹き出すことを特徴とした請求項１〜３のいずれかに記載のサウナ装置。
【請求項９】
運転開始後一定時間後に前記直接加湿手段を停止し、前記加湿手段を動作することを特徴とした請求項８記載のサウナ装置。
【請求項１０】
設定された温度または湿度に達すると前記直接加湿手段を停止し、前記加湿手段を動作することを特徴とした請求項８記載のサウナ装置。
【請求項１１】
サウナ対象室外に運転指示状態表示手段を備え、運転指示状態表示手段はサウナ対象室の温度と湿度の設定とサウナ対象室の温度と湿度の表示とサウナ装置の加湿運転状態を表示することを特徴とした請求項１０記載のサウナ装置。
【請求項１２】
サウナ対象室出入扉開閉検知手段の検知により直接加湿手段を停止することを特徴とした請求項８記載のサウナ装置。
【請求項１３】
人検知手段の人検知により前記直接加湿手段のノズル噴射範囲の変更または、直接加湿手段を停止し前記加湿手段を動作することを特徴とした請求項８記載のサウナ装置。
【請求項１４】
給水温度検知手段を設け、給水温が低い場合には直接加湿手段の直接ノズルからの噴射を停止することを特徴とした請求項４記載のサウナ装置。
【請求項１５】
給水温度検知手段で温水器に、水給水要求時に温水給水と検知した場合には加湿手段のノズルからの噴射を停止することを特徴とした請求項４記載のサウナ装置。
【請求項１６】
温水器とサウナ装置間の配管滞留水の排水検知に、給水温度手段を用いることを特徴とした請求項４記載のサウナ装置。
【発明の詳細な説明】
【技術分野】
【０００１】
本発明は、浴室などの断熱性のある仕切られた空間を中温高湿雰囲気にしサウナ浴をするために用いるサウナ装置に関する。
【背景技術】
【０００２】
従来、この種のサウナ装置として浴室に天井に送風装置とスチーム発生装置を設置したものが知られている（例えば、特許文献１参照）。
【０００３】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている。
【０００４】
図１０は、従来のこのようなサウナ装置の内部構造の概略を示す要部断面図である。
【０００５】
図１０に示すように、浴室の天井２０１に設置され送風ファン２０２によって、浴室内の空気を吸気口２０３から吸気して送風口２０４より浴室内に送風する送風装置２０５と、送風装置２０５に設けられ、給水管２０６を介して供給される水をスチーム用ヒーター２０７で加熱してスチームを発生し、そのスチームを浴室内に噴出するスチーム発生装置２０８とを備えている。
【特許文献１】特開２００３−２０７１７６号公報
【発明の開示】
【発明が解決しようとする課題】
【０００６】
このような従来のサウナ装置では、ノズルから噴射される水滴がサウナ対象室内に直接噴霧されるため、使用者の身体に触れて体感上好ましくなく、使用者の身体に触れないようにノズルからの噴射を停止すると中高温高湿のサウナ環境を継続できないという課題がある。
【０００７】
本発明は、このような従来の課題を解決するものであり、ノズルから噴射される水滴がサウナ対象室に噴射されても使用者の体感が良好で、かつ、中高温高湿のサウナ環境を継続するサウナ装置を提供することを目的とする。
【課題を解決するための手段】
【０００８】
本発明のサウナ装置は、上記目的を達成するために、空気を加熱する加熱手段と、前記加熱手段により加熱された空気を加湿する加湿手段と、サウナ対象室内に直接加湿を行う直接加湿手段と、大粒水滴と微細水滴を分離する気液分離手段と、サウナ対象室の空気を循環する循環送風手段と、前記加熱手段と前記加湿手段と前記直接加湿手段と前記循環送風手段を制御する制御手段を備え、前記循環送風手段は、前記加熱手段を通過させて加熱した空気を前記加湿手段により加湿して、前記気液分離手段を通過させて微細空気を前記サウナ対象室へ吹出して加湿を行い、前記直接加湿手段は、直接加湿を行い、前記サウナ対象室を加湿するものである。
【０００９】
また、他の手段は、加湿手段に、水を噴射するノズルと、前記ノズルより噴射した水が噴射水衝突面としての壁面に衝突することにより空気を加湿する水破砕手段を設けたものである。
【００１０】
また、他の手段は、直接加湿手段に、温水を噴射する直接ノズルを設け、前記直接ノズルより噴射した温水がサウナ対象室に直接噴射することによりサウナ対象室の空気を加湿するものである。
【００１１】
また、他の手段は、加湿手段および直接加湿手段で噴射する水または温水は、温水器から供給するものである。
【００１２】
また、他の手段は、サウナ装置用の専用温水回路を有する温水器と接続され温水を温水器から供給するものである。
【００１３】
また、他の手段は、温水器と通信することにより、温度調整された温水を温水器から供給するものである。
【００１４】
また、他の手段は、水量により水と温水を切り換える温水器で加湿手段のノズル噴射水量と直接加湿手段の直接ノズル噴射水量に噴射水量差を設けるものである。
【００１５】
また、他の手段は、運転開始時に、直接加湿手段の直接ノズル噴射でサウナ対象室の加湿を行い、加熱手段により加熱された空気を前記サウナ対象室に吹き出すものである。
【００１６】
また、他の手段は、運転開始後一定時間後に前記直接加湿手段を停止し、前記加湿手段を動作するものである。
【００１７】
また、他の手段は、設定された温度または湿度に達すると前記直接加湿手段を停止し、前記加湿手段を動作するものである。
【００１８】
また、他の手段は、サウナ対象室外に運転指示状態表示手段を備え、運転指示状態表示手段はサウナ対象室の温度と湿度の設定とサウナ対象室の温度と湿度の表示とサウナ装置の加湿運転状態を表示するものである。
【００１９】
また、他の手段は、サウナ対象室出入扉開閉検知手段の検知により直接加湿手段を停止するものである。
【００２０】
また、他の手段は、人検知手段の人検知により前記直接加湿手段のノズル噴射範囲の変更または、直接加湿手段を停止し前記加湿手段を動作するものである。
【００２１】
また、他の手段は、給水温度検知手段を設け、給水温が低い場合には直接加湿手段の直接ノズルからの噴射を停止するものである。
【００２２】
また、他の手段は、給水温度検知手段で温水器に、水給水要求時に温水給水と検知した場合には加湿手段のノズルからの噴射を停止するものである。
【００２３】
また、他の手段は、温水器とサウナ装置間の配管滞留水の排水検知に、給水温度手段を用いるものである。
【発明の効果】
【００２４】
本発明によれば、空気を加熱する加熱手段と、前記加熱手段により加熱された空気を加湿する加湿手段と、サウナ対象室内に直接加湿を行う直接加湿手段と、大粒水滴と微細水滴を分離する気液分離手段と、サウナ対象室の空気を循環する循環送風手段と、前記加熱手段と前記加湿手段と前記直接加湿手段と前記循環送風手段を制御する制御手段を備え、前記循環送風手段は、前記加熱手段を通過させて加熱した空気を前記加湿手段により加湿して、前記気液分離手段を通過させて微細空気を前記サウナ対象室へ吹出して加湿を行い、前記直接加湿手段は、直接加湿を行い、前記サウナ対象室を加湿することにより、加湿能力の高い直接加湿手段によりサウナ立ち上がり時間の短縮が行え、かつ、加湿空気の粒径が微細な加湿手段により高湿度で大粒水滴を含まない加湿により使用者の体感をよくできるという効果のあるサウナ装置を提供することができる。
【００２５】
また、加湿手段に、水を噴射するノズルと、前記ノズルより噴射した水が噴射水衝突面としての壁面に衝突することにより空気を加湿する水破砕手段を設けたことにより、壁面衝突により微細化されるため、水滴が蒸発しやすい大きさになり加湿能力が向上することができるという効果のあるサウナ装置を提供することができる。
【００２６】
また、直接加湿手段に、温水を噴射する直接ノズルを設け、前記直接ノズルより噴射した温水がサウナ対象室に直接噴射することによりサウナ対象室の空気を加湿することにより、サウナ対象室に温水を直接噴射するため、効率的に加温加湿をサウナ対象室に行うことができるという効果のあるサウナ装置を提供することができる。
【００２７】
また、加湿手段および直接加湿手段で噴射する水または温水は、温水器から供給することにより、加湿時に多大な電力を消費しないため、契約電力を少なくすることができるという効果のあるサウナ装置を提供することができる。
【００２８】
また、サウナ装置用の専用温水回路を有する温水器と接続され温水を温水器から供給することにより、他の給水器具で要求される温度に影響を受けず、サウナ装置が要求する温水または水を温水器から随時供給することができるという効果のあるサウナ装置を提供することができる。
【００２９】
また、温水器と通信することにより、温度調整された温水を温水器から供給することにより、サウナ装置が要求する任意の温水供給が受けられるため、直接ノズル噴射時に高温水で給水することで立ち上がり性能を向上させ、ノズル噴射時に水で給水することでランニングコストを低減することができるという効果のあるサウナ装置を提供することができる。
【００３０】
また、水量により水と温水を切り換える温水器で加湿手段のノズル噴射水量と直接加湿手段の直接ノズル噴射水量に噴射水量差を設けることにより、通信手段なしで、サウナ装置が要求する水または温水を温水器から供給することができるという効果のあるサウナ装置を提供することができる。
【００３１】
また、運転開始時に、直接加湿手段の直接ノズル噴射でサウナ対象室の加湿を行い、加熱手段により加熱された空気を前記サウナ対象室に吹き出すことにより、直接加湿手段で効率良く加温加湿を行い、加熱手段で加熱することができ、湿度や温度立ち上がりを良くすることができるという効果のあるサウナ装置を提供することができる。
【００３２】
また、運転開始後一定時間後に前記直接加湿手段を停止し、前記加湿手段を動作することにより、湿度や温度立ち上がりが良く、一定時間後に使用者の身体が濡れない加湿でランニングコスト低減となる水供給で高湿度を保つことができるという効果のあるサウナ装置を提供することができる。
【００３３】
また、設定された温度または湿度に達すると前記直接加湿手段を停止し、前記加湿手段を動作することにより、湿度や温度の立ち上がりが良く、設定された温度または湿度で直接加湿手段から加湿手段に変更ができ、使用者の身体が濡れない加湿でランニングコスト低減となる水供給で高湿度を保つことができるという効果のあるサウナ装置を提供することができる。
【００３４】
また、サウナ対象室外に運転指示状態表示手段を備え、運転指示状態表示手段はサウナ対象室の温度と湿度の設定とサウナ対象室の温度と湿度の表示とサウナ装置の加湿運転状態を表示することにより、サウナ対象室の温度と湿度とサウナ装置の加湿運転状態を確認するためのサウナ対象室の出入りがないためサウナ対象室から中高温高湿空気の漏れる量が低減でき、湿度や温度の立ち上がりを良くすることができるという効果のあるサウナ装置を提供することができる。
【００３５】
また、サウナ対象室出入扉開閉検知手段の検知により直接加湿手段を停止することにより、湿度や温度の立ち上がりが良く、サウナ対象室出入扉開閉検知手段の検知により直接加湿手段を停止することで、使用者の入室時に使用者の身体が濡れなくすることができるという効果のあるサウナ装置を提供することができる。
【００３６】
また、人検知手段の人検知により前記直接加湿手段のノズル噴射範囲の変更または、直接加湿手段を停止し前記加湿手段を動作することにより、人検知手段の人検知により直接加湿手段のノズル噴射範囲の変更または、直接加湿手段を停止し加湿手段に変更することで、サウナ対象室外への直接ノズル噴射水滴の飛び散りがなく湿度や温度の立ち上がりがより良くなり、使用者が入室時は使用者の身体が濡れない加湿にすることができるという効果のあるサウナ装置を提供することができる。
【００３７】
また、給水温度検知手段を設け、給水温が低い場合には直接加湿手段の直接ノズルからの噴射を停止することにより、給水温が低い場合の直接ノズルからの噴射を停止することで、使用者が直接ノズルからの低温水噴射で低温による不快感を防止することができるという効果のあるサウナ装置を提供することができる。
【００３８】
また、給水温度検知手段で温水器に、水給水要求時に温水給水と検知した場合には加湿手段のノズルからの噴射を停止することにより、水給水要求時に温水給水の場合、加湿手段のノズルからの噴射を停止することで、ランニングコストの高い温水を使用者が気付かずサウナ装置を使用し続けることを防止できるという効果のあるサウナ装置を提供することができる。
【００３９】
また、温水器とサウナ装置間の配管滞留水の排水検知に、給水温度手段を用いることにより、温水器とサウナ装置間の配管滞留水の排水確認ができるため、無駄な排水を抑えることができるという効果のあるサウナ装置を提供することができる。
【発明を実施するための最良の形態】
【００４０】
本発明の請求項１記載のサウナ装置は、空気を加熱する加熱手段と、前記加熱手段により加熱された空気を加湿する加湿手段と、サウナ対象室内に直接加湿を行う直接加湿手段と、大粒水滴と微細水滴を分離する気液分離手段と、サウナ対象室の空気を循環する循環送風手段と、前記加熱手段と前記加湿手段と前記直接加湿手段と前記循環送風手段を制御する制御手段を備え、前記循環送風手段は、前記加熱手段を通過させて加熱した空気を前記加湿手段により加湿して、前記気液分離手段を通過させて微細空気を前記サウナ対象室へ吹出して加湿を行い、前記直接加湿手段は、直接加湿を行い、前記サウナ対象室を加湿することとしたものであり、サウナ対象室への加温加湿は、加熱手段により加熱を行い、加湿能力の高い直接加湿手段または加湿空気の粒径が微小な加湿手段により加湿するという作用を有する。
【００４１】
また、加湿手段に、水を噴射するノズルと、前記ノズルより噴射した水が噴射水衝突面としての壁面に衝突することにより空気を加湿する水破砕手段を設けたこととしたものであり、ノズルからの噴射と壁面衝突による衝突力により、噴射水滴が微細化されるという作用を有する。
【００４２】
また、直接加湿手段に、温水を噴射する直接ノズルを設け、前記直接ノズルより噴射した温水がサウナ対象室に直接噴射することによりサウナ対象室の空気を加湿することとしたものであり、直接ノズルより温水をサウナ対象室に直接噴射することにより、サウナ対象室を加温加湿するという作用を有する。
【００４３】
また、加湿手段および直接加湿手段で噴射する水または温水は、温水器から供給することとしたものであり、貯湯式の温水器またはガス温水器等の温水器と接続するという作用を有する。
【００４４】
また、サウナ装置用の専用温水回路を有する温水器と接続され温水を温水器から供給することとしたものであり、サウナ装置専用の温水回路を有する温水器と接続するという作用を有する。
【００４５】
また、温水器と通信することにより、温度調整された温水を温水器から供給することとしたものであり、温水器と通信するという作用を有する。
【００４６】
また、水量により水と温水を切り換える温水器で加湿手段のノズル噴射水量と直接加湿手段の直接ノズル噴射水量に噴射水量差を設けることとしたものであり、サウナ装置が要求する水または温水を温水器から供給するという作用を有する。
【００４７】
また、運転開始時に、直接加湿手段の直接ノズル噴射でサウナ対象室の加湿を行い、加熱手段により加熱された空気を前記サウナ対象室に吹き出すこととしたものであり、サウナ対象室の空気を直接加湿手段で効率良く加湿を行い、加熱手段で加熱するという作用を有する。
【００４８】
また、運転開始後一定時間後に前記直接加湿手段を停止し、前記加湿手段を動作することとしたものであり、サウナ立ち上がり時に、サウナ対象室の空気を直接加湿手段で効率良く加湿を行い加熱手段で加熱し、一定時間後に直接加湿手段から加湿手段に変更するという作用を有する。
【００４９】
また、設定された温度または湿度に達すると前記直接加湿手段を停止し、前記加湿手段を動作することとしたものであり、サウナ立ち上がり時に、サウナ対象室の空気を直接加湿手段で効率良く加湿を行い、また、加熱手段で加熱でき、設定された温度または湿度により加湿手段に変更するという作用を有する。
【００５０】
また、サウナ対象室外に運転指示状態表示手段を備え、運転指示状態表示手段はサウナ対象室の温度と湿度の設定とサウナ対象室の温度と湿度の表示とサウナ装置の加湿運転状態を表示することとしたものであり、サウナ対象室外でサウナ対象室の温度と湿度の設定が行え、サウナ対象室の温度と湿度表示とサウナ装置の加湿運転状態を表示するという作用を有する。
【００５１】
また、サウナ対象室出入扉開閉検知手段の検知により直接加湿手段を停止することとしたものであり、サウナ立ち上がり時に、サウナ対象室の空気を直接加湿手段で効率良く加湿を行い、サウナ対象室出入扉開閉検知手段の検知により直接加湿手段を停止するという作用を有する。
【００５２】
また、人検知手段の人検知により前記直接加湿手段のノズル噴射範囲の変更または、直接加湿手段を停止し前記加湿手段を動作することとしたものであり、サウナ立ち上がり時に、サウナ対象室の空気を直接加湿手段で効率良く加湿を行い、人検知手段の人検知により直接加湿手段のノズル噴射範囲の変更または、直接加湿手段を停止し加湿手段に変更するという作用を有する。
【００５３】
また、給水温度検知手段を設け、給水温が低い場合には直接加湿手段の直接ノズルからの噴射を停止することとしたものであり、給水温が低い場合の直接ノズルからの噴射を停止することができるという作用を有する。
【００５４】
また、給水温度検知手段で温水器に、水給水要求時に温水給水と検知した場合には加湿手段のノズルからの噴射を停止することとしたものであり、水給水要求時に、温水給水の場合、加湿手段のノズルからの噴射を停止するという作用を有する。
【００５５】
また、温水器とサウナ装置間の配管滞留水の排水検知に、給水温度手段を用いることとしたものであり、給水温度手段の検知値により、温水器とサウナ装置間の配管滞留水の排水確認をするという作用を有する。
【００５６】
以下、本発明の実施の形態について、図面を参照しながら説明する。
【００５７】
（実施の形態１）
図１および図２に示すように、浴室などよりなるサウナ対象室１の天井裏空間２にサウナ装置の装置本体３を設け、装置本体３の下面に設けられた開口部４は天井開口部５を介してサウナ対象室１に連通している。また、装置本体３には水を装置本体３に供給する給水管６および装置本体３から排水する排水管７が接続され、サウナ対象室１または装置本体３内部を加湿する場合に、給水管６を介して市水が装置本体３に送水され、送水された水の一部が加湿として使用され、加湿に使用されなかった水が配水管７より排水される。
【００５８】
装置本体３は、サウナ対象室１に面した位置にパネル８が設けられ、パネル８は吸込口９と吹出口１０を有し、循環送風手段１１を駆動することにより、サウナ対象室１の空気は吸込口９より装置本体３内に吸い込まれ、空気を送風する循環送風手段１１、空気を加熱する加熱手段１２、加熱した空気を加湿する加湿手段１３、大粒水滴と微細水滴を分離する気液分離手段１４を介して吹出口１０からサウナ対象室１に吹き出される。また、パネル８には、サウナ対象室１を直接加湿する直接加湿手段１５として直接サウナ対象室１に温水を噴射する直接ノズル１６が設けられている。
【００５９】
加熱手段１２は電気加熱ヒーター１７であり、送られた空気は加熱手段１２により加熱され、加熱された空気は加湿手段１３へ送られる。
【００６０】
加湿手段１３は給水管６と加湿手段弁１８を介して接続されたノズル１９と、ノズル１９より噴射された水滴が衝突する噴射水衝突面２０を備え、加熱手段１２により加熱された空気は加湿手段１３で、ノズル１９噴射された水滴および噴射水衝突面２０で衝突により微細化された水滴により加湿され、気液分離手段１４へ送られる。
【００６１】
気液分離手段１４は細い線形のステンレス線がランダムに絡みあった形状のものであり、加湿手段１３で加湿された空気が気液分離手段１４のステンレス線を通過するときに、大粒水滴がステンレス線に衝突付着し、同付着を繰り返すことにより付着水が大きくなり付着水の自重で下部に設けられた貯水部２１に落下する。貯水部２１は、噴射水衝突面２０で水滴にならずに付着した水も貯水できるように噴射水衝突面２０の下面にも設けられている。貯水部２１の最下部は排水管７に接続されており、貯水部２１に貯められた水は、排水管７から排水される。気液分離手段１４でステンレス線に衝突付着しなかった微細化された水滴を含んだ空気は、吹出口１０からサウナ対象室１に吹き出される。この吹出口１０からサウナ対象室１に吹き出された空気は、高温かつ、微細化された水滴を含んだ加湿された空気となる。
【００６２】
直接ノズル１６は、給水管６に給水された水を加熱し温水にする水加熱手段２２と直接加湿手段弁２３を介して接続されている。
【００６３】
循環送風手段１１、加熱手段１２、加湿手段弁１８、水加熱手段２２、および直接加湿手段弁２３は、制御手段２４と接続され制御されている。
【００６４】
上記構成により、サウナ運転開始時は、循環送風手段１１を駆動させサウナ対象室１の空気を吸込口９より吸い込み加熱手段１２で空気を加熱させて吹出口から吹き出し、直接加湿手段弁２３を開き、水加熱手段２２でつくられた温水を直接加湿手段１５の直接ノズル１６でサウナ対象室１に噴射することにより効率的に加温加湿を行うことができる。使用者がサウナ対象室１で使用する時、またはサウナ運転開始から一定時間経過時は、水供給での運転となり、サウナ対象室１は高温かつ微細化された水滴により加湿されることになる。すなわち、循環送風手段１１を駆動させサウナ対象室１の空気を吸込口９より吸い込み、加熱手段１２で空気を加熱させ、加湿手段弁１８を開き加湿手段１３のノズル１９より水を噴射し、噴射された水滴が噴射水衝突面２０に衝突により微細化されて空気がより加湿され、気液分離手段１４に加湿された空気が通るときに、大粒水滴は気液分離手段１４に付着されることで気液分離手段１４を通過し吹出口から吹き出す空気が高温かつ微細化された水滴を含んだ加湿された空気となり、サウナ対象室１は高温かつ微細化された水滴により加湿されることになる。
【００６５】
このように本発明の実施の形態１のサウナ装置によれば、サウナ運転開始時に直接加湿手段１５でサウナ対象室１を中高温高湿のサウナ環境に早期に到達させることができ、使用者がサウナ対象室１を使用するときまたはサウナ運転一定時間後には、ランニングコスト低減となる水供給で高温かつ微細化された水滴の加湿により使用者の体感をよくできることとなる。
【００６６】
（実施の形態２）
次に実施の形態２について説明する。なお実施の形態１と重複する個所は同一記号とし説明は省略する。
【００６７】
図３および図４に示すように、加湿手段１３および直接加湿手段１５で噴射する水または温水を供給する給水管６を温水器２５に接続する構成とする。
【００６８】
直接ノズル１６は給水管６から直接加湿手段弁２３を介して接続し、サウナ装置の制御手段２４は温水器２５と温水器２５から供給する水を含む温水温度を通信する通信線２６で接続されている。
【００６９】
温水器２５は貯湯式で、温水器２５の熱源によりつくられた温水を貯める貯湯タンク２７を有し、カランなどへ供給する温水回路とは別にサウナ装置用の温水回路が設けられ、制御手段２４との通信でサウナ装置の要求する水を含む温水温度に調節された温水を給水管６を介して装置本体３へ供給する。温水器２５の温水回路には貯湯タンク２７の温水と市水を混合して温度調整する混合弁があり、カランなどへ供給する温水回路の混合弁２８とサウナ装置用の温水回路のサウナ混合弁２９が設けられている。
【００７０】
上記構成により、サウナ運転開始時にサウナ装置の制御手段２４より温水器２５に要求温水温度が通信され、通信を受けた温水器２５は貯湯タンク２７の温水と市水をサウナ混合弁２９の開度で制御し、要求温水温度の温水を給水管６を介してサウナ装置へ供給する。直接加湿手段弁２３を開き、温水器２５でつくられた温水を直接加湿手段１５の直接ノズル１６でサウナ対象室１に噴射することにより効率的に加温加湿を行うことができる。使用者がサウナ対象室１で使用する時は、サウナ装置の制御手段２４より温水器２５に要求温水温度として水が通信され、通信を受けた温水器２５は貯湯タンク２７の温水と市水をサウナ混合弁２９の開度で制御し、水を給水管６を介してサウナ装置へ供給する。循環送風手段１１を駆動させサウナ対象室１の空気を吸込口９より吸い込み、加熱手段１２で空気を加熱させ、加湿手段弁１８を開き加湿手段１３のノズル１９より水を噴射し、噴射された水滴が噴射水衝突面２０に衝突により微細化されて空気がより加湿され、気液分離手段１４に加湿された空気が通るときに、大粒水滴は気液分離手段１４に付着されることで気液分離手段１４を通過し吹出口から吹き出す空気が高温かつ微細化された水滴を含んだ加湿された空気となり、サウナ対象室１は高温かつ微細化された水滴により加湿されることになる。
【００７１】
このように本発明の実施の形態２のサウナ装置によれば、温水を使用した加湿時に多大な電力を消費しないため契約電力を少なくすることができ、他の給水器具で要求される温度に影響を受けずにサウナ装置が要求する温水または水の供給が随時受けることができ、直接ノズル１６噴射時に高温水で給水することで立ち上がり性能を向上させ、ノズル１９噴射時に水で給水することでランニングコストを低減できることとなる。
【００７２】
なお、本実施の形態では温水器２５から供給する水を含む温水温度を通信に通信線２６を使用したが、有線通信以外の無線通信で行ってもよい。
【００７３】
（実施の形態３）
次に実施の形態３について説明する。なお実施の形態１および２と重複する個所は同一記号とし説明は省略する。
【００７４】
図５に示すように、温水器２５のサウナ装置用の温水回路に流量計３０が設けられ、流量計３０の流量値により水と温水を切り換える制御とする。サウナ装置の加湿手段１３のノズル１９の噴射流量Ａと直接加湿手段１５の直接ノズル１６の噴射流量Ｂに噴射水量差を設ける。加湿手段１３のノズル１９の噴射流量Ａが直接加湿手段１５の直接ノズル１６噴射流量Ｂよりも少なくし、加湿手段１３のノズル１９の噴射流量Ａと直接加湿手段１５の直接ノズル１６の噴射流量Ｂの間の流量値を温水器の流量計３０の水と温水の切り換える流量値Ｃに設定し、流量値が流量値Ｃより多い場合は温水、流量値Ｃより少ない場合は水を供給する制御とする。サウナ装置は直接加湿手段１５で温水、加湿手段１３で水を使用して加湿を行うものとする。
【００７５】
上記構成により、直接加湿手段弁２３を開き直接ノズル１６噴射を行った場合、温水器２５の流量計３０は流量値Ｂを検知し、温水器２５は貯湯タンク２７の温水と市水をサウナ混合弁２９の開度で制御し、温水をサウナ装置に供給する。加湿手段弁１８を開きノズル１９噴射を行った場合、温水器２５の流量計３０は流量値Ａを検知し、温水器２５は貯湯タンク２７の温水と市水をサウナ混合弁２９の開度で制御し、水をサウナ装置に供給する。
【００７６】
このように本発明の実施の形態３のサウナ装置によれば、通信手段なしでサウナ装置が要求する水または温水の給水が受けることができることとなる。
【００７７】
（実施の形態４）
次に実施の形態４について説明する。なお実施の形態１および２と重複する個所は同一記号とし説明は省略する。
【００７８】
図６に示すように、装置本体３内にサウナ対象室１の温度および湿度を検知する温度検知手段３１、湿度検知手段３２を備え、制御手段２４に接続されている。制御手段２４は、運転開始時から設定された温度または湿度に達するまで直接加湿手段１５を用いた加湿でサウナ運転を行い、設定された温度または湿度到達後は加湿手段１３を用いた加湿でサウナ運転を行う。また、制御手段２４に接続され、サウナ対象室１の外側に配置されたサウナ装置の運転指示状態表示手段３３は、使用者がサウナ装置の運転とサウナ対象室１の温度や湿度設定が行えるとともに、サウナ対象室１内の温度や湿度状態、直接加湿手段１５または加湿手段１３を用いたサウナ運転状態を表示する。
【００７９】
上記構成により、サウナ運転開始時から使用者が運転指示状態表示手段３３で任意に設定した温度または湿度までの間、直接加湿手段１５を用いた加湿でサウナ運転を行い、設定された温度または湿度到達後は加湿手段１３を用いた加湿でサウナ運転が行え、運転指示状態表示手段３３によりサウナ対象室１に入らずにサウナ対象室１の温度や湿度状態および、直接加湿手段１５または加湿手段１３を用いたサウナ運転状態を把握できるため、サウナ対象室１の状態確認のための出入りがなくなりサウナ対象室１から中高温高湿空気の漏れる量が少なくなるとともに使用者がサウナ対象室１入室時に直接加湿手段１５の直接ノズル１６の噴射によって濡れることがなくなる。使用者は、使用者が任意に設定した温度または湿度で、微細化された水滴により加湿する加湿手段１３を用いたサウナ運転で中高温高湿のサウナ環境となったサウナ対象室１に入室することができる。
【００８０】
このように本発明の実施の形態４のサウナ装置によれば、湿度や温度の立ち上がりが良く、設定された温度または湿度で直接加湿手段１５から加湿手段１３に変更ができ、使用者の身体が濡れない加湿でランニングコスト低減となる水供給で高湿度を保つことができることとなる。
【００８１】
（実施の形態５）
次に実施の形態５について説明する。なお実施の形態１から４と重複する個所は同一記号とし説明は省略する。
【００８２】
図７および図８に示すように、サウナ対象室１内に人検知手段Ａ３４を設け、サウナ対象室出入扉３５に開閉検知手段３６を設け、サウナ対象室出入扉３５前に人検知手段Ｂ３７を設け、各検知手段は制御手段２４に接続されている。
【００８３】
上記構成により、サウナ運転開始時、直接加湿手段１５の直接ノズル１６はサウナ対象室出入扉３５に水滴がかかる広範囲での噴射で効率よく加湿を行い、サウナ対象室出入扉３５前の人検知手段Ｂ３７が人を検知すると、直接加湿手段１５の直接ノズル１６の噴射範囲をサウナ対象室出入扉３５に水滴がかからないように狭くし、サウナ対象室出入扉３５の開閉検知手段３６が開を検知すると直接加湿手段１５を停止させ、サウナ対象室１内の人検知手段Ａ３４が人を検知している間は、直接加湿手段１５は停止し微細化された水滴により加湿する加湿手段１３を用いたサウナ運転を行うものとする。
【００８４】
このように本発明の実施の形態５のサウナ装置によれば、サウナ対象室出入扉の開閉検知手段と人検知手段により直接加湿手段の噴射範囲をかえることと直接加湿手段から加湿手段に変更することで、サウナ対象室外への直接ノズル噴射水滴の飛び散りがなく湿度や温度の立ち上がりがより良くなり、使用者の入室時には身体が濡れない加湿にすることができることとなる。
【００８５】
（実施の形態６）
次に実施の形態６について説明する。なお実施の形態１から５と重複する個所は同一記号とし説明は省略する。
【００８６】
図９に示すように、給水管６と接続し貯水部２１へ直接給水した水または温水を送る排水弁３８を設け、給水管６からの給水温度を検知する給水温度検知手段３９を設け、排水弁３８と給水温度検知手段３９は制御手段２４に接続されている。
【００８７】
上記構成により、サウナ運転開始時、サウナ装置の制御手段２４より温水器２５に温水要求が通信され、通信を受けた温水器２５は貯湯タンク２７の温水と市水をサウナ混合弁２９の開度で制御し、温水を給水管６を介してサウナ装置へ供給する。給水温度検知手段３９が温水検知するまで排水弁３８を開き、温水器２５とサウナ装置間の配管滞留水を貯水部２１を介して排水管７へ排水する。給水温度検知手段３９が温水検知をすることで滞留水でない温水器２５の温水が給水されたことが確認でき、排水弁３８を閉じ、直接加湿手段弁２３を開にし、温水器２５でつくられた温水を直接加湿手段１５の直接ノズル１６でサウナ対象室１に噴射する。
【００８８】
直接加湿手段１５の直接ノズル１６で噴射中に給水温度検知手段３９の検知値が低い場合には、直接加湿手段弁２３を閉じ直接加湿手段１５を用いたサウナ運転を停止し、直接ノズル１６から噴射される水滴で濡れることによる冷水感を使用者が感じないようにし、加湿手段弁１８を開き、加湿手段１３を用いたサウナ運転に切り換える。給水温度検知手段３９の検知値が高くなった場合は、加湿手段１３を用いたサウナ運転から、直接加湿手段１５を用いたサウナ運転に再度切り換える。
【００８９】
加湿手段１３を用いたサウナ運転で温水器２５には水の供給を要求して通信を行っている時に、給水温度検知手段３９の検知値が高く温水が給水されていると判断された場合、運転指示状態表示手段３３に給水の異常を表示させ、使用者に異常を知らせる。
【００９０】
このように本発明の実施の形態６のサウナ装置によれば、温水器２５とサウナ装置間の配管滞留水の排水確認ができ無駄な排水を抑えることができ、給水温が低い場合の直接ノズル１６からの噴射の停止することで使用者へ直接ノズル１６からの低温水噴射を行う不快感を防止するとともにサウナ運転は継続することができる。また、加湿手段１３を用いたサウナ運転時に不要な温水供給を受けている場合には使用者に知らせて温水供給を停止させることで、不要なランニングコストアップを避けることができることとなる。
【産業上の利用可能性】
【００９１】
暖房装置と加湿装置を一体に設けた空気調和機の用途にも適用できる。
【図面の簡単な説明】
【００９２】
【図１】本発明の実施の形態１のサウナ装置の構成を示す側面構成図
【図２】同サウナ装置を設置した状態を示す側面図
【図３】本発明の実施の形態２のサウナ装置の構成を示す側面構成図
【図４】同サウナ装置を温水器と接続した状態を示す側面図
【図５】本発明の実施の形態３のサウナ装置を温水器と接続を示す側面図
【図６】本発明の実施の形態４のサウナ装置の構成を示す側面図
【図７】本発明の実施の形態５のサウナ装置の構成を示す斜視図
【図８】同サウナ装置の直接ノズルの噴射範囲を示す図（（ａ）広範囲での噴射範囲を示す図、（ｂ）サウナ対象室出入扉に水滴のかからない範囲での噴射範囲を示す図）
【図９】本発明の実施の形態６のサウナ装置の構成を示す側面図
【図１０】従来のサウナ装置の実施例を示す側面構造図
【符号の説明】
【００９３】
１・・・サウナ対象室
１１・・循環送風手段
１２・・加熱手段
１３・・加湿手段
１４・・気液分離手段
１５・・直接加湿手段
１６・・直接ノズル
１９・・ノズル
２０・・噴射水衝突面
２４・・制御手段
２５・・温水器
３３・・運転指示状態表示手段
３４・・人検知手段Ａ
３６・・開閉検知手段
３７・・人検知手段Ｂ
３９・・給水温度検知手段
【図１】
2008253476.tif 000003
【図２】
2008253476.tif 000004
【図３】
2008253476.tif 000005
【図４】
2008253476.tif 000006
【図５】
2008253476.tif 000007
【図６】
2008253476.tif 000008
【図７】
2008253476.tif 000009
【図８】
2008253476.tif 000010
【図９】
2008253476.tif 000011
【図１０】
2008253476.tif 000012